(57)【要約】      （修正有）【課題】管状組織又は血管を傷つけたり、クリップを破損させたりすることを抑制することができるクリップアプライヤーシステムを提供する。【解決手段】クリップアプライヤーシステム１は、給排される作動液の給排量に応じた開度にて一対のジョー１１、１１を開閉する開閉機構１２に駆動装置１３から作動液を給排して一対のジョーを開閉するクリップアプライヤー２と、操作具に対する操作量に応じた操作信号を出力する操作装置４と、一対のジョーの開度又はそれに対応する検出値に応じた信号を出力する検出装置と、開度制御を実行する制御装置３とを備え、開度制御では、操作装置からの操作信号に基づく指令と検出装置からの信号に基づく実値とに応じて駆動装置の動作を制御する。【選択図】図１
2020162642.tif 000002
【特許請求の範囲】
【請求項１】
給排される作動液の給排量に応じた開度にて一対のジョーを開閉する開閉機構に駆動装置から作動液を給排して前記一対のジョーを開閉するクリップアプライヤーと、
操作具に対する操作量に応じた操作信号を出力する操作装置と、
前記一対のジョーの開度又はそれに対応する検出値に応じた信号を出力する検出装置と、
開度制御を実行する制御装置とを備え、
前記開度制御では、前記操作装置からの操作信号に基づく指令と前記検出装置からの信号に基づく実値との差分に応じて前記制御装置が前記駆動装置の動作を制御する、クリップアプライヤーシステム。
【請求項２】
前記開閉機構は、給排される作動液の液圧に応じた把持力で前記一対のジョーを作動させ、
前記制御装置は、前記開度制御及び把持力制御の何れかを選択して実行し、
前記把持力制御では、前記操作装置からの操作信号に基づく指令の増減分に応じて作動液の液圧を増減させるべく前記制御装置が前記駆動装置の動作を制御する、請求項１に記載のクリップアプライヤーシステム。
【請求項３】
給排される作動液によって一対のジョーを開閉し、且つ作動液の液圧に応じた把持力にて前記一対のジョーを作動させる開閉機構に駆動装置から作動液を給排して前記一対のジョーを開閉するクリップアプライヤーと、
操作具に対する操作量に応じた操作信号を出力する操作装置と、
把持力制御を実行する制御装置とを備え、
前記把持力制御では、前記操作装置からの操作信号に基づく指令の増減分に応じて作動液の液圧を増減させるべく前記制御装置が前記駆動装置の動作を制御する、クリップアプライヤーシステム。
【請求項４】
ハーフクリップ制御を選択可能な選択装置と、
前記制御装置は、前記選択装置にて前記ハーフクリップ制御が選択されると前記ハーフクリップ制御を実行し、
前記ハーフクリップ制御では、作動液の液圧が保持されるように前記制御装置が前記駆動装置の動作を制御する、請求項１乃至３の何れか１つに記載のクリップアプライヤーシステム。
【請求項５】
前記制御装置は、前記一対のジョーの間におけるクリップの装填の有無を判定し、装填されていないと判定した場合、前記一対のジョーの閉動作を制限する、請求項１乃至４の何れか１つに記載のクリップアプライヤーシステム。
【請求項６】
前記制御装置は、所定の条件を充足するまで前記一対のジョーの開動作を制限し、前記所定の条件を充足すると前記一対のジョーの開動作を許容するように前記駆動装置の動作を制御する、請求項１乃至５の何れか１つに記載のクリップアプライヤーシステム。
【請求項７】
一対のジョーを開閉する開閉機構を駆動装置によって駆動して前記一対のジョーを開閉するクリップアプライヤーと、
操作具に対する操作量に応じた操作信号を出力する操作装置と、
前記一対のジョーの開度又はそれに対応する検出値に応じた信号を出力する検出装置と、
開度制御及び把持力制御の何れかを選択して実行する制御装置とを備え、
前記開度制御では、前記操作装置からの操作信号に基づく指令と前記検出装置からの信号に基づく実値との差分に応じて前記制御装置が前記駆動装置の動作を制御し、
前記把持力制御では、前記操作装置からの操作信号に基づく指令の増減分に応じて把持力を増減させるべく前記制御装置が前記駆動装置の動作を制御する、クリップアプライヤーシステム。
【請求項８】
一対のジョーを開閉する開閉機構を駆動装置によって駆動して前記一対のジョーを開閉するクリップアプライヤーと、
操作具に対する操作量に応じた操作信号を出力する操作装置と、
前記操作装置からの操作信号に基づく指令に応じて前記一対のジョーの把持力を増減させるべく前記駆動装置の動作を制御する制御装置とを備え、
前記制御装置は、ハーフクリップ制御を実行し、
前記ハーフクリップ制御では、指令の増減にかかわらず把持力が保持されるように前記制御装置が前記駆動装置の動作を制御する、クリップアプライヤーシステム。
【請求項９】
一対のジョーを開閉する開閉機構を駆動装置によって駆動して前記一対のジョーを開閉するクリップアプライヤーと、
操作具に対する操作量に応じた操作信号を出力する操作装置と、
前記操作装置からの操作信号に基づく指令に応じて前記一対のジョーを開閉させるべく前記駆動装置の動作を制御する制御装置とを備え、
前記制御装置は、前記一対のジョーの間におけるクリップの装填の有無を判定し、装填されていないと判定した場合、前記一対のジョーの閉動作を制限するように前記駆動装置の動作を制御する、クリップアプライヤーシステム。
【請求項１０】
一対のジョーを開閉する開閉機構を駆動装置によって駆動して前記一対のジョーを開閉するクリップアプライヤーと、
操作具に対する操作量に応じた操作信号を出力する操作装置と、
前記操作装置からの操作信号に基づく指令に応じて前記一対のジョーを開閉させるべく前記駆動装置の動作を制御する制御装置とを備え、
前記制御装置は、所定の条件を充足するまで前記一対のジョーの開動作を制限し、前記所定の条件を充足すると前記一対のジョーの開動作を許容するように前記駆動装置の動作を制御する、クリップアプライヤーシステム。
【発明の詳細な説明】
【技術分野】
【０００１】
本発明は、手術において管状組織又は血管の結紮を行うためのクリップアプライヤーシステムに関する。
【背景技術】
【０００２】
手術支援ロボットシステムによる手術では、ロボットアームの先端に取り付けたインストゥルメントを患者の体内に挿入して施術が行われ、ロボットアームの先端には、用途に応じた様々なインストゥルメントが取り付けられる。このような手術支援ロボットシステムとしては、例えば特許文献１の外科手術システムが知られており、また取り付けられるインストゥルメントの一例として、例えばクリップアプライヤーがある。クリップアプライヤーは、管状組織又は血管の結紮を行うための医療機器であり、結紮位置にてクリップを閉じて管状組織又は血管を結紮する。
【先行技術文献】
【特許文献】
【０００３】
【特許文献１】特開２０１７−１８９４９５号公報
【発明の概要】
【発明が解決しようとする課題】
【０００４】
クリップアプライヤーでは、一対のジョーにクリップが装填され、一対のジョーを閉じることによってクリップをつぶす。クリップには、樹脂製のものや金属製のものがあり、例えば金属製のクリップをつぶす場合、大きな把持力で一対のジョーを閉じる必要がある。それ故、クリップアプライヤーは、大きな把持力を発生できるように構成されていることが望ましい。他方、外科手術システムにおいてクリップアプライヤーを適用した場合、以下のようなことが考えられる。即ち、大きな把持力を発生できるが故に誤って管状組織又は血管を挟んで傷つけたり、また術者が把持力を把握できずに必要以上の大きな把持力でクリップを挟んで破損させたりすることが考えられる。
【０００５】
そこで本発明は、管状組織又は血管を傷つけたり、クリップを破損させたりすることを抑制することができるクリップアプライヤーシステムを提供することを目的としている。
【課題を解決するための手段】
【０００６】
第１の発明のクリップアプライヤーシステムは、給排される作動液の給排量に応じた開度にて一対のジョーを開閉する開閉機構に駆動装置から作動液を給排して前記一対のジョーを開閉するクリップアプライヤーと、操作具に対する操作量に応じた操作信号を出力する操作装置と、前記一対のジョーの開度又はそれに対応する検出値に応じた信号を出力する検出装置と、開度制御を実行する制御装置とを備え、前記開度制御では、前記操作装置からの操作信号に基づく指令と前記検出装置からの信号に基づく実値との差分に応じて前記制御装置が前記駆動装置の動作を制御するものである。
【０００７】
本発明に従えば、操作量に応じた分量の作動液が開閉機構に給排され、その分量に応じた開度にて一対のジョーが閉じられる。それ故、一対のジョーが閉じられすぎて患者の管状組織又は血管等を傷つけたり、クリップを破損させたりすることを抑制することができる。
【０００８】
上記発明において、前記開閉機構は、給排される作動液の液圧に応じた把持力で前記一対のジョーを作動させ、前記制御装置は、前記開度制御及び把持力制御の何れかを選択して実行し、前記把持力制御では、前記操作装置からの操作信号に基づく指令の増減分に応じて作動液の液圧を増減させるべく前記制御装置が前記駆動装置の動作を制御することが好ましい。
【０００９】
上記構成に従えば、一対のジョーが操作量に応じた把持力にて閉じられるので、患者の管状組織又は血管等及びクリップに必要以上の把持力が作用して、患者の管状組織又は血管等を傷つけたり、クリップを破損させたりすることを抑制することができる。
【００１０】
第２の発明のクリップアプライヤーシステムは、給排される作動液によって一対のジョーを開閉し、且つ作動液の液圧に応じた把持力にて前記一対のジョーを作動させる開閉機構に駆動装置から作動液を給排して前記一対のジョーを開閉するクリップアプライヤーと、操作具に対する操作量に応じた操作信号を出力する操作装置と、把持力制御を実行する制御装置とを備え、前記把持力制御では、前記操作装置からの操作信号に基づく指令の増減分に応じて作動液の液圧を増減させるべく前記制御装置が前記駆動装置の動作を制御するものである。
【００１１】
本発明に従えば、一対のジョーが操作量に応じた把持力にて閉じられるので、患者の管状組織又は血管等及びクリップに必要以上の把持力が作用して、患者の管状組織又は血管等を傷つけたり、クリップを破損させたりすることを抑制することができる。
【００１２】
上記発明において、ハーフクリップ制御を選択可能な選択装置と、前記制御装置は、前記選択装置にて前記ハーフクリップ制御が選択されると前記ハーフクリップ制御を実行し、前記ハーフクリップ制御では、作動液の液圧が保持されるように前記制御装置が前記駆動装置の動作を制御することが好ましい。
【００１３】
上記構成に従えば、術者がハーフクリップを行う際にクリップに意図しない大きな把持力が作用してクリップをつぶしてしまうことを抑制することができる。
【００１４】
上記発明において、前記制御装置は、前記一対のジョーの間におけるクリップの装填の有無を判定し、装填されていないと判定した場合、前記一対のジョーの閉動作を制限することが好ましい。
【００１５】
上記構成に従えば、患者の管状組織又は血管等が一対のジョーによって直接把持されて傷つくことを抑制することができる。
【００１６】
上記発明において、前記制御装置は、所定の条件を充足するまで前記一対のジョーの開動作を制限し、前記所定の条件を充足すると前記一対のジョーの開動作を許容するように前記駆動装置の動作を制御することが好ましい。
【００１７】
上記構成に従えば、所定の条件を充足する前、例えば患者の管状組織又は血管等を結紮する前にクリップが一対のジョーから外れることを抑制することができる。
【００１８】
第３の発明のクリップアプライヤーシステムは、一対のジョーを開閉する開閉機構を駆動装置によって駆動して前記一対のジョーを開閉するクリップアプライヤーと、操作具に対する操作量に応じた操作信号を出力する操作装置と、前記一対のジョーの開度又はそれに対応する検出値に応じた信号を出力する検出装置と、開度制御及び把持力制御の何れかを選択して実行する制御装置とを備え、前記開度制御では、前記操作装置からの操作信号に基づく指令と前記検出装置からの信号に基づく実値との差分に応じて前記制御装置が前記駆動装置の動作を制御し、前記把持力制御では、前記操作装置からの操作信号に基づく指令の増減分に応じて把持力を増減させるべく前記制御装置が前記駆動装置の動作を制御するものである。
【００１９】
本発明に従えば、開度制御では、操作量に応じた開度にて一対のジョーが閉じられるので、一対のジョーが閉じられすぎて患者の管状組織又は血管等を傷つけたり、クリップを破損させたりすることを抑制することができる。また、把持力制御では、操作量に応じた把持力にて一対のジョーが閉じられるので、患者の管状組織又は血管等及びクリップに必要以上の把持力が作用して、患者の管状組織又は血管等を傷つけたり、クリップを破損させたりすることを抑制することができる。
【００２０】
第４の発明のクリップアプライヤーシステムは、一対のジョーを開閉する開閉機構を駆動装置によって駆動して前記一対のジョーを開閉するクリップアプライヤーと、操作具に対する操作量に応じた操作信号を出力する操作装置と、前記操作装置からの操作信号に基づく指令に応じて前記一対のジョーの把持力を増減させるべく前記駆動装置の動作を制御する制御装置とを備え、前記制御装置は、ハーフクリップ制御を実行し、前記ハーフクリップ制御では、指令の増減にかかわらず把持力が保持されるように前記制御装置が前記駆動装置の動作を制御するものである。
【００２１】
本発明に従えば、術者がハーフクリップを行う際にクリップに意図しない大きな把持力が作用してクリップをつぶしてしまうことを抑制することができる。
【００２２】
第５の発明のクリップアプライヤーシステムは、一対のジョーを開閉する開閉機構を駆動装置によって駆動して前記一対のジョーを開閉するクリップアプライヤーと、操作具に対する操作量に応じた操作信号を出力する操作装置と、前記操作装置からの操作信号に基づく指令に応じて前記一対のジョーを開閉させるべく前記駆動装置の動作を制御する制御装置とを備え、前記制御装置は、前記一対のジョーの間におけるクリップの装填の有無を判定し、装填されていないと判定した場合、前記一対のジョーの閉動作を制限するように前記駆動装置の動作を制御するものである。
【００２３】
本発明に従えば、患者の管状組織又は血管等が一対のジョーによって直接把持されて傷つくことを抑制することができる。
【００２４】
第６の発明のクリップアプライヤーシステムは、一対のジョーを開閉する開閉機構を駆動装置によって駆動して前記一対のジョーを開閉するクリップアプライヤーと、操作具に対する操作量に応じた操作信号を出力する操作装置と、前記操作装置からの操作信号に基づく指令に応じて前記一対のジョーを開閉させるべく前記駆動装置の動作を制御する制御装置とを備え、前記制御装置は、所定の条件を充足するまで前記一対のジョーの開動作を制限し、前記所定の条件を充足すると前記一対のジョーの開動作を許容するように前記駆動装置の動作を制御するものである。
【００２５】
本発明に従えば、所定の条件を充足する前、例えば患者の管状組織又は血管等を結紮する前にクリップが一対のジョーから外れることを抑制することができる。
【発明の効果】
【００２６】
本発明によれば、管状組織又は血管等を傷つけたり、クリップを破損させたりすることを抑制することができる。
【図面の簡単な説明】
【００２７】
【図１】本実施形態のクリップアプライヤーシステムの構成を示す図である。
【図２】図１のクリップアプライヤーシステムに備わる制御装置が実行する制御に関するブロック線図である。
【図３】図１のクリップアプライヤーシステムに備わる制御装置が実行するクリップ制御に関するフローチャートである。
【図４】図３に示される固定値制御処理に関するフローチャートである。
【図５】図３に示される任意値制御処理に関するフローチャートである。
【発明を実施するための形態】
【００２８】
以下、本発明に係る実施形態のクリップアプライヤーシステム１について前述する図面を参照しながら説明する。なお、以下の説明で用いる方向の概念は、説明する上で便宜上使用するものであって、発明の構成の向き等をその方向に限定するものではない。また、以下に説明するクリップアプライヤーシステム１は、本発明の一実施形態に過ぎない。従って、本発明は実施形態に限定されず、発明の趣旨を逸脱しない範囲で追加、削除、変更が可能である。
【００２９】
＜クリップアプライヤーシステム＞
図１に示すクリップアプライヤーシステム１は、手術支援ロボットシステムによる手術にて用いられるものであり、例えばクリップアプライヤー２を備えている。クリップアプライヤー２は、ロボットアーム（図示せず）の先端に取り付けられ、患者の管状組織又は血管等（以下、「血管等」という）を結紮する際に用いられる。更に詳細に説明すると、クリップアプライヤー２は、一対のジョー１１，１１、開閉機構１２、及び駆動装置１３を有している。一対のジョー１１，１１は、その先端側部分を互いに近づけたり離したりして開閉可能に構成され、それらの先端側部分の間にＶ字状のクリップ８を装填することができる。即ち、一対のジョー１１，１１は、それらを閉じることによってクリップ８をつぶすことができ、一対のジョー１１，１１には、それらを開閉すべく開閉機構１２が設けられている。
【００３０】
開閉機構１２は、シリンダ２１及びピストン２２を有しており、ピストン２２は、リンク等によって一対のジョー１１，１１と連結されている。即ち、一対のジョー１１，１１は、ピストン２２の動きに連動して開閉するように構成されている。なお、一対のジョー１１，１１とピストン２２とは、必ずしもリンクで連結されている必要はなく、ピストン２２の進退動作に応じて一対のジョー１１，１１が開閉する構成であればどのように構成されてもよい。また、ピストン２２は、シリンダ２１に挿通されており、シリンダ２１に給排される作動液（例えば、生理食塩水及び油等）に応じてシリンダ２１に対して進退する。更に、シリンダ２１内には、コイルばね２３が設けられており、コイルばね２３は、後退させるべくピストン２２を付勢している。
【００３１】
このように構成されている開閉機構１２は、そこに給排される作動液の量、即ち給排量に応じてピストン２２をストロークさせ、一対のジョー１１，１１は、ストローク量に応じた開度にて開閉する。即ち、開閉機構１２は、そこへの給排量に応じた開度にて一対のジョー１１，１１を開閉する。また、開閉機構１２は、ピストン２２が受ける液圧に応じた荷重にて一対のジョー１１，１１を作動させるようになっており、一対のジョー１１，１１は、作動液の圧力に応じた把持力にてクリップ８を把持することができる。このような機能を有する開閉機構１２は、チューブ２４を介して駆動装置１３が接続されており、駆動装置１３からチューブ２４を介してシリンダ２１に作動液が給排されている。
【００３２】
駆動装置１３は、チューブ２４を介してシリンダ２１に作動液を給排することによって一対のジョー１１，１１を開閉駆動させるように構成されており、ポンプ３１と、直動機構３２と、モータ３３とを有している。ポンプ３１は、例えばピストンポンプであり、チューブ２４を介してシリンダ２１に接続されている。更に詳細に説明すると、ポンプ３１は、シリンダ３１ａとピストン３１ｂとを有しており、ピストン３１ｂを進退させることによって作動液を給排することができる。このように構成されているポンプ３１は、ピストン３１ｂを進退させるべく直動機構３２を介してモータ３３に接続されている。
【００３３】
モータ３３は、例えばサーボモータであり、そこに流れる電流に応じたトルクを発生させる。また、モータ３３は、直動機構３２を介してピストン３１ｂに接続されており、直動機構３２は、以下のように構成されている。即ち、直動機構３２は、回転運動を直線運動に変換する機構であり、本実施形態においてボールねじ機構である。更に詳細に説明すると、直動機構３２は、図示しない軸部材とスライダとを有しており、モータ３３によって軸部材を一方向に回転させるとスライダが軸部材に沿って移動してピストン３１ｂを前進させる。また、モータ３３によって軸部材を他方向に回転させると、スライダが軸部材に沿って移動してピストン３１ｂを後退させる。このようにモータ３３は、直動機構３２を介してピストン３１ｂを進退させ、それによってシリンダ２１に作動液を給排して一対のジョー１１，１１を開閉させる。
【００３４】
このように構成されているクリップアプライヤー２では、例えば駆動装置１３がロボットアームの先端部に設けられ、開閉機構１２は、長尺且つ管状のシャフト１４介して駆動装置１３に取り付けられている。それ故、ロボットアームを動かすことによって一対のジョー１１，１１を患者の体内に挿入し、また血管等の任意の位置に一対のジョー１１，１１を配置することができる。また、クリップアプライヤー２は、一対のジョー１１，１１の間に血管等を位置させ、更に一対のジョー１１，１１を閉じてクリップ８をつぶすことによって血管等を結紮することができる。このような機能を有するクリップアプライヤーシステム１は、血管等を結紮するためにクリップアプライヤー２の他、制御装置３と、操作装置４と、モード切替装置５と、フラグ切替装置６と、表示装置７とを備えており、制御装置３は、一対のジョー１１，１１の開閉動作を制御すべくモータ３３に電気的に接続されている。
【００３５】
制御装置３は、入力される様々な情報に応じてモータ３３の動きを制御し、また情報を取得すべく、操作装置４とモード切替装置５とフラグ切替装置６とに電気的に接続されている。操作装置４は、例えば操作用マニピュレータに備わる操作具を有し、操作具は、鋏を開閉させるようなピンチ操作が可能に構成されている。また、操作装置４は、ピンチ操作によって操作した量、即ち操作量に応じた操作信号を制御装置３に出力し、制御装置３は、この操作量に応じてモータ３３の動作を制御する。なお、操作装置４は、前述するような構成に限定されず、操作可能に構成されるトリガーを有するハンドルアッセンブリであってもよい。
【００３６】
また、選択装置の一例であるモード切替装置５は、３つの切替スイッチ５ａ，５ｂ，５ｃを有しており、各々が例えばダイアルスイッチ、ボタンスイッチ、レバースイッチ等で構成されている。各々のスイッチ５ａ，５ｂ，５ｃは、それらを操作することによって制御モードを切替え可能（即ち、選択可能）に構成され、制御モードには、開度制御モード、把持力制御モード、ハーフクリップ制御モード、固定値制御モード、及び任意値制御モードとが含まれる。更に詳細に説明すると、第１切替スイッチ５ａは、開度制御モード及び把持力制御モードを切替えることができる。また、第２切替スイッチ５ｂは、それをＯＮ状態及びＯＦＦ状態にすることによってハーフクリップ制御モードのＯＮとＯＦＦを切替えることができ、第３切替スイッチ５ｃは、固定値制御モード及び任意値制御モードを切替えることができる。このように構成されているモード切替装置５は、切替えて選択したモードに応じた信号を制御装置３に出力し、それに応じて制御装置３は、制御モードを切替える。
【００３７】
フラグ切替装置６は、一対のジョー１１，１１の間にクリップ８が装填されていることを示す装填済フラグをＯＮに切替えるための装置であり、例えばボタンスイッチ又はレバースイッチである。即ち、術者等が一対のジョー１１，１１の間にクリップ８が装填された後にフラグ切替装置６が操作されると、フラグ切替装置６が制御装置３に信号を出力し、制御装置３が装填済フラグをＯＮにする。なお、本実施形態では、術者の操作によって装填済フラグがＯＮに切替えられるが、センサ等を用いてクリップ８の装填を検知して装填済フラグがＯＮに切替えられるようにしてもよい。また、クリップ８のつぶしが完了した際には、制御装置３によって装填済フラグがＯＦＦにされる。このような機能を有する制御装置３には、更に表示装置７、例えばモニターや警告灯等が接続されており、表示装置７によって術者に対して様々なことが警告及び報知される。
【００３８】
また、クリップアプライヤーシステム１は、エンコーダ９、及び圧力センサ１０を更に備えている。検出装置の一例であるエンコーダ９は、モータ３３の回転量に応じた信号を制御装置３に出力し、制御装置３は、モータ３３の回転量を取得する。なお、モータ３３の回転量は、ピストン３１ｂの位置に対応し、更には一対のジョー１１，１１の開度に対応している。それ故、制御装置３には、一対のジョー１１，１１の開度に対応する検出値である回転量に応じた信号がエンコーダ９から入力されている。また、圧力センサ１０は、ポンプ３１のシリンダ３１ａ内の液圧に応じた信号を制御装置３に出力し、制御装置３は、その信号に基づいて作動液の圧力を取得する。なお、作動液の圧力は、一対のジョー１１，１１の把持力に対応している。
【００３９】
なお、エンコーダ９は、あくまで検出装置の一例であり、検出装置は必ずしもエンコーダ９である必要はない。例えば、エンコーダ９に代えてジョー１１，１１の角度位置を検出すべく角度センサ、ピストン２２又はピストン３１ｂの位置を検出するストロークセンサ、又はジョー１１，１１の移動量を検出可能な距離センサであってもよい。また、圧力センサ１０も同様であり、必ずしもこれが設けられている必要はない。即ち、圧力センサ１０に代えてシリンダ２１の液圧を検出するセンサ、又はモータ３３のトルクを検出するセンサが設けられてもよい。また、モータ３３に流す電流を検出してもよく、一対のジョー１１，１１の把持力に対応する検出値を検出できるものであればよい。
【００４０】
このように構成されているクリップアプライヤーシステム１では、制御装置３が図２に示すようなブロック線図に基づいてモータ３３の動作を制御しており、以下ではブロック線図について説明する。即ち、制御装置３は、モード選択スイッチ４０を有しており、モード選択スイッチ４０は、選択される制御モードに応じて接続する端子を４つの端子４１ａ〜４１ｄのうち何れかに切替える。例えば、開度制御モードの場合、モード選択スイッチ４０は、第１端子４１ａに接続される。開度制御モードは、操作装置４における操作量に応じて一対のジョー１１，１１の開度を制御するモードであり、本実施形態ではモータ３３の回転量を用いて一対のジョー１１，１１の開度を制御している。
【００４１】
更に詳細に説明すると、制御装置３は、操作装置４の操作量、即ち開度指令を取得し、またエンコーダ９から信号に基づいてモータ３３の回転量を取得する。更に、制御装置３は、モータ３３の回転量を換算器４２によって一対のジョー１１，１１の開度である実開度（即ち、実値）に換算する。そして、制御装置３の開度制御ループ４３が実開度と前述する開度指令との差分に基づいて速度指令を算出する。また、制御装置３では、実開度を微分することによって実速度を算出しており、速度制御ループ４４が実速度と速度指令とに基づいて電流指令を算出する。
【００４２】
このようにして算出された電流指令は、変化率リミッタ４５によってその変化率が所定値を超えないように制限され、また電流リミッタ４６によって所定値以下に制限されて出力される。制御装置３は、出力された電流指令に応じた電流をモータ３３に与える。これにより、操作量に応じた位置へとピストン３１ｂがストロークし、操作量に応じた給排量の作動液が開閉機構１２に給排される。これにより、一対のジョー１１，１１が操作装置４の操作量に応じた開度で開閉する（開度制御）。
【００４３】
また、制御装置３は、操作量メモリ４７を有しており、操作装置４の操作量が第１制御スイッチ４８を介して操作量メモリ４７に入力される。第１制御スイッチ４８は、開度制御モードにおいてＯＮ状態となり、操作量メモリ４７は、そこに入力される操作量を上書きする、即ち操作装置４の操作量の更新が許容される。更に、制御装置３は、電流指令メモリ４９を有しており、電流リミッタ４６から出力される電流指令が第２制御スイッチ５０を介して入力される。第２制御スイッチ５０は、制御モードが開度制御モードに切替わる際、及び制御モードが開度制御モードから切替わる際にＯＮ状態となり、電流指令メモリ４９は、そこに入力される電流指令を上書きする、即ち電流指令の更新が許容される。そして、第２制御スイッチ５０は、電流指令メモリ４９における電流指令の更新が済むと、直ぐにＯＦＦ状態となる。それ故、電流指令メモリ４９には、制御モードが開度制御モードに切替わる際、及び制御モードが開度制御から切替わる際の電流指令が記憶される。
【００４４】
次に、把持力制御モードについて説明する。把持力制御モードは、操作装置４における操作量に応じて一対のジョー１１，１１の把持力を制御するモードであり、それに切替わるとモード選択スイッチ４０が第２端子４１ｂに接続される。また、把持力制御モードでは、第１制御スイッチ４８がＯＦＦ状態となり、操作量メモリ４７において操作装置４の操作量の更新が阻止される。即ち、操作量メモリ４７では、把持力制御モードに切替わる直前の操作量が保持されており、保持されている操作量である基準操作量と操作装置４の操作量である実操作量とに基づいて把持力制御部５１が以下のような制御を実行する。即ち、把持力制御部５１は、基準操作量と実操作量との差分に係数を掛け合わせて差分指令を算出する。
【００４５】
また、第２制御スイッチ５０は、端子４１ｂに切替わる際、及び端子４１ｂから切替わる際にＯＮ状態となり、そして電流指令メモリ４９における電流指令の更新が済むと直ぐにＯＦＦ状態となる。これにより、電流指令メモリ４９には、端子４１ｂに切替わる際及び端子４１ｂから切替わる際の電流指令が記憶される。把持力制御モードでは、この電流指令に把持力制御部５１で算出された差分指令が加算されており、基準操作量からの増減分に応じた分だけ把持力が増減する。即ち、制御装置３は、操作量の増減分に応じてモータ３３のトルクを増減させ、ポンプ３１から吐出される作動液の液圧を操作量の増減分に応じて増減させる。これにより、基準操作量からの増減分に応じた分だけ把持力を増減させるように一対のジョー１１，１１を動作させることができる（把持力制御）。
【００４６】
また、モード選択スイッチ４０が第４端子４１ｄに接続された場合について説明する。即ち、第４端子４１ｄには、所定の電流指令が入力されているので、モード選択スイッチ４０を第４端子４１ｄにされることによって、所定の電流指令に応じた電流がモータ３３に与えられる。なお、制御装置３は、第４端子４１ｄに入力する所定の電流指令に関して複数の設定値を保持しており、状況に応じて何れかを選択して入力することができる。また、制御装置３に保持されている複数の設定値は、製造時において予め設定されていてもよく、また術者等が設定するようにしてもよい。
【００４７】
最後に、モード選択スイッチ４０が第３端子４１ｃに接続された場合について説明する。また、第３端子４１ｃには、電流指令メモリ４９が接続されており、モード選択スイッチ４０が第３端子４１ｃに接続されると、電流指令メモリ４９に保持されている電流指令が第３端子４１ｃに出力され、その電流指令に応じた電流がモータ３３に与えられる。それ故、モード選択スイッチ４０が第３端子４１ｃに接続されると、操作装置４の操作量に関係なく、一対のジョー１１，１１の把持力が任意の値にて保持される。
【００４８】
なお、モード選択スイッチ４０が第３端子４１ｃ及び第４端子４１ｄに接続されている場合には、第１制御スイッチ４８がＯＮ状態になっており、操作量メモリ４７に記憶される操作装置４の操作量が常時更新されている。これにより、それらの制御モードから把持力制御モードに切替えられた場合であっても、基準操作量からの増減分に応じた分だけ把持力を増減させることができる。
【００４９】
また、制御装置３は、２つの戻り防止スイッチ５２，５３を有している。第１戻り防止スイッチ５２は、開度制御ループ４３から出力される速度指令を０に切替える。これにより、操作装置４の操作量に関わらず一対のジョー１１，１１の開度が保持され、一対のジョー１１，１１の開閉が制限される。他方、第２戻り防止スイッチ５３は、実操作量に代えて実開度（即ち、基準操作量と同値）を把持力制御部５１に入力する。これにより、把持力制御部５１からの差分指令に電流指令メモリ４９にて保持される電流指令を加算すると第２端子に入力される電流指令が実開度に対応する値となり、操作装置４の操作量に関わらず一対のジョー１１，１１の開度が一定値に保たれる。従って、戻り防止スイッチ５２，５３を作動させることによって一対のジョー１１，１１の開閉を制限することができる。
【００５０】
このように構成されている制御装置３は、モード切替装置５の各切替スイッチ５ａ〜５ｃ対する操作に応じて以下のように制御モードを切替える。例えば、制御装置３は、第１切替スイッチ５ａに対する操作に応じて制御モードを開度制御モード及び把持力制御モードの何れかに切替える。そして、第２切替スイッチ５ｂがＯＮ状態（即ち、ハーフクリップ制御モードがＯＮ）になると、制御装置３は、制御モードを第３切替スイッチ５ｃによって選択された制御モード（即ち、固定値制御モード又は任意値制御モード）に切替えることができる。
【００５１】
＜クリップアプライヤーシステムの使用態様について＞
このように構成されるクリップアプライヤーシステム１は、前述の通りクリップ８をつぶすことによって血管等を結紮することができるが、クリップ８が装填されていない状態にて一対のジョー１１，１１によって血管等を直接把持されると血管等が傷つくおそれがある。それ故、制御装置３は、クリップ８が装填されていない状態で一対のジョー１１，１１が閉じないようにするインタロック機能を有している。即ち、制御装置３は、フラグ切替装置６における装填済フラグがＯＮかＯＦＦの何れであるかを判定し、ＯＦＦの場合において選択スイッチ４０を第４端子４１ｄに接続する。ここでは、第４端子４１ｄに入力される所定の電流指令がゼロに設定されている。それ故、操作装置４に対する操作の有無にかかわらず一対のジョー１１，１１が開いたままの状態に維持され、一対のジョー１１，１１の開閉動作が制限される。他方、フラグ切替装置６における装填済フラグがＯＮになると、制御装置３は、選択スイッチ４０を制御モードに応じた端子４１ａ〜４１ｄに接続すると共に所定の電流指令の設定値を変更し、一対のジョー１１，１１を閉じ得る状態にする。
【００５２】
また、クリップアプライヤーシステム１では、つぶす途中において一対のジョー１１，１１が開くとクリップ８が脱落する可能性がある。それ故、制御装置３は、つぶす途中において一対のジョー１１，１１の開動作を制限すべく、開き防止機能を有している。即ち、制御装置３は、エンコーダ９を用いて一対のジョー１１，１１がつぶし動作を開始したか否かを判定する。例えば、制御装置３は、エンコーダ９からの信号に基づいてモータ３３が正方向に回転していることを検知すると、一対のジョー１１，１１が閉じてクリップ８をつぶしていると判定する。そうすると、制御装置３は、操作装置４において一対のジョー１１，１１を開くような操作、即ち開操作がなされた際に２つの戻り防止スイッチ５２，５３を作動させる。これにより、つぶす途中において一対のジョー１１，１１が開くことを抑制できる。
【００５３】
また、開操作の後に操作装置４に対して一対のジョー１１，１１を閉じるような操作、即ち閉動作がなされて操作装置４の操作量が開操作前の操作量を超えると、操作装置４は、２つの戻り防止スイッチ５２，５３の作動を止める。これにより、再び操作量に応じた開度になるように一対のジョー１１，１１の開度が制御される。なお、制御装置３の開き防止機能は、主に装填済フラグがＯＮの場合において機能し、後述するようにクリップ８が完全につぶれると停止する。即ち、エンコーダ９からの信号に基づいて検出される回転量が所定回転量以上（つまり、一対のジョー１１，１１の開度が所定開度以下）であり、クリップ８のつぶしが完了した（即ち、所定の条件を充足した）と判定されると、制御装置３は開き防止機能を停止する。これにより、クリップ８のつぶしが完了した後、即ち結紮後において一対のジョー１１，１１の開動作が許容され、術者は一対のジョー１１，１１を血管等から離すことができる。
【００５４】
他方、クリップ８のつぶしが完了した後では、逆に一対のジョー１１，１１の閉動作が制限される。即ち、開動作では一対のジョー１１，１１の間にクリップ８が装填されておらず、その状態で一対のジョー１１，１１によって血管等が直接把持されると血管等が傷つくことがある。それ故、開動作が開始すると、一対のジョー１１，１１の閉動作が制限される。即ち、つぶしが完了した後に閉操作がなされると、制御装置３は、２つの戻り防止スイッチ５２，５３を作動させる。これにより、一対のジョー１１，１１がその開度にて保持され、一対のジョー１１，１１の閉動作が阻止される。そして、つぶし途中の場合と同様に、閉動作に戻した後であって操作装置４の操作量が閉操作前の操作量未満になると、操作装置４は、２つの戻り防止スイッチ５２，５３の作動を止める。これにより、再び操作量に応じた開度になるように一対のジョー１１，１１の開度が制御される。なお、この機能は装填済フラグがＯＦＦになると共に停止する。
【００５５】
このような機能を有するクリップアプライヤーシステム１では、以下のようにして血管等の結紮が行われる。例えば、第２切替スイッチ５ｂがＯＦＦ状態である場合、制御装置３は、第１切替スイッチ５ａによって選択された制御モードに応じて開度制御及び把持力制御の何れかを実行する。これにより、術者が操作した操作装置４の操作量に応じた開度にて一対のジョー１１，１１の開度が制御される、又は操作量に応じた把持力にて一対のジョー１１，１１の把持力が制御される。
【００５６】
なお、術者は、閉動作の途中においても第１切替スイッチ５ａによって制御モードを切替えることができ、切替えた場合には以下のように制御装置３が開度又は把持力を制御する。例えば、制御モードが開度制御モードから把持力制御モードに切替えられる場合には、切替え後に操作された操作量に応じた分だけ把持力を増加させる。即ち、制御装置３は、開度制御モードから把持力制御モードに切替わると、切替わる際の電流指令を電流指令メモリ４９にて保持し、また基準操作量を操作量メモリ４７に保持する。それ故、制御装置３は、把持力制御モードに切替えられた後、基準操作量からの増加分に応じて電流指令を増加させ、基準操作量からの増加分に応じた分だけ把持力を増加させることができる。それ故、把持力制御モードに切替えられた後、把持力が急に増加することを抑制することができる。他方、第１切替スイッチ５ａによって制御モードが把持力制御モードから開度制御モードに切替えられる際には、操作装置４の操作量に基づいて開度制御が行われ、一対のジョー１１，１１の開度が操作量に応じた開度になるように制御される。それ故、切替え後において、術者は一対のジョー１１，１１の開度を直感的に操作することができる。
【００５７】
また、血管等の結紮を行う際には、ハーフクリップと呼ばれる手法が用いられることがある。ハーフクリップは、クリップ８が装填された一対のジョー１１，１１の間に血管等を配置した状態で一対のジョー１１，１１の間を少し閉じ、そのまま血管等に沿って一対のジョー１１，１１を動かす手法である。術者は、ハーフクリップによって血管等の周りにある他の部位を剥がしながら一対のジョー１１，１１を所望の位置へと進めることができる。所望の位置にて到達した際には、一対のジョー１１，１１によってクリップ８がつぶされて血管等が結紮される。以下では、このようなハーフクリップを行う際を含め、制御装置３が実行する制御手順について図３乃至５に示すフローチャートを参照しながら説明する。制御装置３は、血管等の結紮を行うべく図３に示すようなクリップ制御処理を実行し、実行されるとステップＳ１に移行する。
【００５８】
フラグ判定工程であるステップＳ１では、制御装置３が装填済フラグのＯＮ及びＯＦＦを判定する。そして、装填済フラグがＯＮであると判定されると、ステップＳ２に移行する。第２切替スイッチ判定工程であるステップＳ２では、第２切替スイッチ５ｂの状態を判定する。第２切替スイッチ５ｂがＯＮ状態と判定されると、ハーフクリップ制御を行うべくステップＳ３に移行する。制御モード判定工程であるステップＳ３では、第３切替スイッチ５ｃによって制御モードが固定値制御モード及び任意値制御モードの何れが選択されているかを判定する。固定値制御モードが選択されている場合には、ステップＳ４に移行する。
【００５９】
ステップＳ４である固定値制御処理では、ハーフクリップ時の把持力を所定値にて固定するための処理である。即ち、固定値制御処理が実行されると、図４に示すような処理が実行され、ステップＳ１１に移行する。ジョー閉動作工程であるステップＳ１１では、ハーフクリップを行うべく一対のジョー１１，１１を閉じる。即ち、制御装置３は、操作装置４の操作量に応じて一対のジョー１１，１１を閉じる。なお、閉じる際、一対のジョー１１，１１の開度又は把持力は、切替スイッチ５ａによって選択される制御モード（開度制御モード又は把持力制御モード）に応じて制御される。一対のジョー１１，１１を閉じていくと、ステップＳ１２に移行する。
【００６０】
把持力判定工程であるステップＳ１２では、一対のジョー１１，１１の把持力が所定値に到達したか否かを判定する。前述の通り、作動液の圧力は、一対のジョー１１，１１の把持力に対応しており、圧力センサ１０からの信号に基づいて一対のジョー１１，１１の把持力が所定値に到達したか否かを判定する。なお、クリップアプライヤーシステム１では、前述の通り、使用するクリップ８に応じて開度と把持力との関係がおおよそ決まっている。それ故、開度によって把持力が所定値に到達したか否かを判定してもよい。把持力が所定値（０以外の値であって、例えば１００Ｎ）まで到達していない場合、ステップＳ１２に戻り、再びジョー閉動作を継続する。他方、検出された把持力が所定値まで到達していると、ステップＳ１３に移行する。
【００６１】
把持力保持工程であるステップＳ１３では、把持力を所定値にて維持すべく固定値制御が実行される。即ち、制御装置３は、モード選択スイッチ４０を第４端子４１ｄに接続し（図２参照）、第４端子４１ｄに出力される所定の電流指令に応じた電流をモータ３３に与える。これにより、一対のジョー１１，１１の把持力が所定値にて保持される。保持された後、術者は、図示しないロボットのアームを動かして一対のジョー１１，１１の位置（即ち、結紮位置）を調整し、その調整が終わると、ステップＳ１４に移行する。
【００６２】
モード解除判定工程であるステップＳ１４では、ハーフクリップ制御モードが解除されたか否かが判定される。即ち、制御装置３は、第２切替スイッチ５ｂの状態によってハーフクリップ制御モードが解除されたか否かを判定する。第２切替スイッチ５ｂがＯＮ状態のままであると、ハーフクリップ制御モードが維持されていると判定される。そうすると、ステップＳ１３に戻り、一対のジョー１１，１１の把持力が所定値にて保持され続ける。他方、第２切替スイッチ５ｂがＯＦＦ状態に切替えられると、制御装置３はハーフクリップ制御モードが解除されたと判定する。そうすると、ステップＳ１５に移行する。
【００６３】
つぶし動作工程であるステップＳ１５では、操作量に応じて一対のジョー１１，１１を閉じてクリップ８をつぶす。即ち、制御装置３は、ステップＳ１１と同様に、一対のジョー１１，１１の開度又は把持力を切替スイッチ５ａによって選択される制御モード（開度制御モード又は把持力制御モード）に応じて制御しながら一対のジョー１１，１１を閉じる。そして、一対のジョー１１，１１が閉じられていくと、ステップＳ１６に移行する。
【００６４】
つぶし判定工程であるステップ１６では、クリップ８のつぶしが完了したか否かを判定する。即ち、制御装置３は、一対のジョー１１，１１の開度を検出し、開度が所定開度未満であるか否かを判定する。なお、本実施形態では、前述の通り、モータ３３の回転量に基づいてクリップ８のつぶしの完了の有無を判定している。即ち、モータ３３の回転量が所定回転量未満（即ち、所定開度未満）である場合、クリップ８のつぶしが未完了であると判定される。そうすると、ステップＳ１５に戻り、つぶし動作を継続して行う。他方、モータ３３の回転量が所定回転量以上（即ち、所定開度以上）である場合、クリップ８のつぶしが完了したと判定される。そうすると、固定値制御処理が終了し、ステップＳ５に移行する。
【００６５】
ジョー開動作工程であるステップＳ５では、結紮しているクリップ８から一対のジョー１１，１１を離すべく一対のジョー１１，１１が開かれる。即ち、制御装置３は、一対のジョー１１，１１を操作装置４の操作量に応じて開く。なお、開く際の一対のジョー１１，１１の開度又は把持力もまた、切替スイッチ５ａによって選択される制御モード（開度制御モード又は把持力制御モード）に応じて制御される。そして、一対のジョー１１，１１が開かれていくと、ステップＳ６に移行する。
【００６６】
全開判定工程であるステップＳ６では、一対のジョー１１，１１が全開状態になっているか否かが判定される。即ち、制御装置３は、一対のジョー１１，１１の開度を検出し、検出された開度が初期開度未満か否かで判定する。なお、本実施形態では、開度に対応する回転量が初期回転量（＝０）であるか否かによって全開状態か否かを判定している。なお、回転量は、正方向の回転量を正の値とし、逆方向の回転量を負の値とする。また、初期開度とは、クリップ８を装填可能な開度である。一対のジョー１１，１１が全開状態でないと判定されると、ステップＳ５に戻って開動作が継続して行われる。他方、一対のジョー１１，１１が全開であると判定されると、ステップＳ７に移行する。
【００６７】
フラグＯＦＦ工程であるステップＳ７では、装填済フラグがＯＦＦに切替えられ、切替えられるとステップＳ８に移行する。開閉動作制限工程であるステップＳ８では、一対のジョー１１，１１の開閉動作が制限される。即ち、制御装置３は、インタロック機能を機能させるべく、第４端子４１ｄに入力する所定の電流指令の設定値をゼロにすると共に、モード選択スイッチ４０を第４端子４１ｄに接続する。これにより、操作装置４の操作量に関わらず一対のジョー１１，１１の開閉動作が制限され、一対のジョー１１，１１が閉じられなくなる。このようにして一対のジョー１１，１１の開閉動作が制限されると、クリップ制御が終了する。
【００６８】
また、クリップ制御処理では、ステップＳ３において任意値制御モードが選択されていると判定されると、ステップＳ９に移行する。ステップＳ９である任意値制御処理では、ハーフクリップ時の把持力を任意に設定するための処理である。即ち、任意値制御処理が実行されると図５に示すような処理を実行すべく、ステップＳ２１に移行する。把持力保持工程であるステップＳ２１は、一対のジョー１１，１１の把持力を制御モードが任意値制御モードに切替えられた際の任意値にて保持すべく、任意値制御が実行される。即ち、制御装置３は、モード選択スイッチ４０を第３端子４１ｃに接続し、電流指令メモリ４９に保持されている電流指令に応じた電流をモータ３３に与える。それ故、一対のジョー１１，１１の把持力を切替えた際の任意の値に設定し、把持力をその任意の値にて保持することができる。このようにして保持した後、術者は図示しないロボットのアームを動かして一対のジョー１１，１１の位置（即ち、結紮位置）を調整し、その調整が終わると、ステップＳ２２に移行する。
【００６９】
モード解除判定工程であるステップＳ２２では、ステップＳ１４と同様に、ハーフクリップ制御モードが解除されたか否かが判定される。ハーフクリップ制御モードが維持されていると判定されると、ステップＳ２１に戻る。これにより、一対のジョー１１，１１の把持力が任意の値で保持され続ける。他方、ハーフクリップ制御モードが解除されたと判定されると、ステップＳ２３に移行する。つぶし動作工程であるステップＳ２３では、ステップＳ１５と同様に、操作量に応じて一対のジョー１１，１１を閉じてクリップ８をつぶす。そして、一対のジョー１１，１１が閉じられていくと、ステップＳ２４に移行する。つぶし判定工程であるステップＳ２４では、ステップＳ１６と同様に、クリップ８が完全につぶされたか否かが判定される。つぶしが未完了であると判定されると、ステップＳ２３に戻り、つぶし動作が継続して行われる。他方、クリップ８のつぶしが完了したと判定されると、任意値制御処理が終了し、ステップＳ５に移行する。
【００７０】
更に、クリップ制御処理において、第２切替スイッチ５ｂをＯＦＦ状態のままにすることによって、ハーフクリップ制御モードを使用せず、操作装置４の操作量に応じて一対のジョー１１，１１を閉じることができる。この場合、ステップＳ２において第２切替スイッチ５ｂがＯＦＦ状態と判定され、ステップＳ１０に移行する。つぶし判定工程であるステップＳ１０では、ステップＳ１６と同様に、クリップ８が完全につぶされたか否かが判定される。つぶしが未完了であると判定されると、ステップＳ２に戻り、第２切替スイッチ５ｂの状態判定とつぶしの判定が繰り返される。他方、つぶしが完了したと判定されると、ステップＳ５に移行する。
【００７１】
また、クリップ制御処理では、ステップＳ１において制御装置３が装填済フラグがＯＦＦであると判定すると、ステップＳ３１に移行する。未装填警告工程であるステップＳ３１では、クリップ８が未装填である旨を制御装置３が表示装置７を介して警告する。警告すると、ステップＳ８に移行して開閉動作を規制してクリップ制御を終了する。
【００７２】
このように構成されるクリップアプライヤーシステム１では、開度制御モードにおいて一対のジョー１１，１１が操作装置４の操作量に応じた開度にて閉じられるので、クリップ８をつぶすべく一対のジョー１１，１１にて大きな把持力が発生しても、一対のジョー１１，１１が閉じられすぎて血管等を傷つけたり、クリップ８を破損させたりすることを抑制することができる。また、把持力制御モードでは、一対のジョー１１，１１が操作量に応じた把持力にて閉じられるので、血管等及びクリップ８に必要以上の把持力が作用して、血管等を傷つけたり、クリップ８を破損させたりすることを抑制することができる。
【００７３】
また、クリップアプライヤーシステム１では、固定値制御モードにてハーフクリップを行う際における一対のジョー１１，１１の把持力を所定値にて保持することができる。また、任意値制御モードに切替えることによって一対のジョー１１，１１の把持力を切替時の値である任意の値にて保持することができる。それ故、術者がハーフクリップを行う際にクリップ８に意図しない操作量によってクリップ８をつぶしてしまうことを抑制することができる。
【００７４】
更にクリップアプライヤーシステム１では、クリップ８を完全につぶしきる前において一対のジョー１１，１１の開動作が制限されているので、結紮時に血管等を結紮する際にクリップ８が一対のジョー１１，１１から外れることを抑制することができる。また、クリップ８が装填されていない状態において一対のジョー１１，１１の閉動作が制限されているので、一対のジョー１１，１１によって血管等が直接把持されて傷つくことを抑制することができる。
【００７５】
［その他の実施形態について］
クリップアプライヤーシステム１では、作動液によってクリップアプライヤー２の一対のジョー１１，１１を作動させているが、クリップアプライヤー２の駆動方式が前述するような液圧駆動方式のものに限定されない。クリップアプライヤー２の駆動方式は、例えばワイヤー駆動方式であってもよい。即ち、ワイヤー駆動方式では、モータ３３と開閉機構とがワイヤーで繋がり、モータ３３を回転させることで開閉機構を介して一対のジョー１１，１１が開閉する。液圧駆動方式の場合と同じようにモータ３３の動作を制御することによって、ワイヤー駆動方式のクリップアプライヤーシステムもまたクリップアプライヤーシステム１と同様の作用効果を奏する。
【００７６】
また、クリップアプライヤーシステム１では、開度制御モード及び把持力制御モードを切替可能に構成されているが、必ずしも切替可能である必要はなく、クリップアプライヤーシステム１は、何れかの制御モードを有していればよい。また、クリップアプライヤーシステム１は、必ずしも固定値制御モード及び任意値制御モードを有している必要はなく（即ち、ハーフクリップ制御モードがなくてもよく）、また一方の制御モードだけを有していてもよい。
【符号の説明】
【００７７】
１  クリップアプライヤーシステム
２  クリップアプライヤー
３  制御装置
４  操作装置
５  モード切替装置
６  フラグ切替装置
７  表示装置
８  クリップ
９  エンコーダ
１１，１１  ジョー
１２  開閉機構
１３  駆動装置
【図１】
2020162642.tif 000003
【図２】
2020162642.tif 000004
【図３】
2020162642.tif 000005
【図４】
2020162642.tif 000006
【図５】
2020162642.tif 000007